(57)【要約】【課題】  病院等、老人ホームでの緊急時の移動時に適合してワンタッチで装着出来る２          台の車椅子を縦列に連結して後方にある車椅子の手押し操作で走行性、操作性          、着脱性に優れ市販車椅子の寸法格差に対応可能な縦列の連結装置を提供する          。【解決手段】    前方の車椅子の左右のアームレストと後方の車椅子の左右のアームレストの各々に沿ってスライドする、中間部に設ける適宜形状の自在継手により接続する前後方の二本の連結棒の各々に、棒の軸方向とほぼ直角に突出させるピンを設け、該ピンが前記車椅子の各々の後部の垂設フレームとアームレスト前部垂直フレームに当接して車椅子に推進力を与え、前記連結棒に沿ってスライドする前記継手の筒丈保護カバーを設けるとともに、前記連結棒とアームレストに上方より被せるボンネットで成る車椅子の縦列連結装置。【選択図】  図１
2014012084.tif 000002
【特許請求の範囲】
【請求項１】
前方の車椅子の左右のアームレストと後方の車椅子の左右のアームレストの各々に沿ってスライドする、中間部に設ける適宜形状の自在継手により接続する前後方の二本の連結棒の各々に、棒の軸方向とほぼ直角に突出させるピンを設け、該ピンが前記車椅子の各々の後部の垂設フレームとアームレスト前部垂直フレームに当接して車椅子に推進力を与え、前記連結棒に沿ってスライドする前記継手の筒丈保護カバーを設けるとともに、前記連結棒とアームレストに上方より被せるボンネットで成る車椅子の縦列連結装置。
【発明の詳細な説明】
【技術分野】
【０００１】
この発明は、２台の車椅子を縦列に連結し、１人で２台の車椅子を自在に操作できる    縦列の連結車椅子に関するものである。                                            
【背景技術】
【０００２】
２台の車椅子を連結する方法として横に並列に連結する装置と、縦列に１本の連結棒で下で連結する装置等がある。２本の連結棒を下部で平面的で交差させた装置と縦列に１本の連結棒で上部を連結する装置が知られている。                                                                                                                  
【先行技術文献】
【特許文献】
【０００３】
【特許文献１】特願平１０−１７９６４６
【０００４】
【特許文献２】特願平１０−２７７０９７
【０００５】
【特許文献３】特願２００１−３２７５４０
【０００６】
【特許文献４】特願２００４−４１２７０
【発明の概要】
【発明が解決しようとする課題】
【０００７】
特願平１０−１７９６４６は並列に連結する方法では横幅が広すぎるために、横幅にドア等の幅を越え入り込めない場所があったり、狭い通路では他の通行の邪魔になりやすい。縦列の特願平１０−２７７０９７等では前方車椅子と後方車椅子の間は連結棒１本のみで連結されているため、直進性や方向制御性に難点がある。特願２００１−３２７５４０は２本の連結棒を下部で平面的で交差させたこの縦列連結車椅子において左折するときは、後方の車椅子を時計回りの右方向に、また右折する時は、後方の車椅子を反時計回りの左方向に逆操作することによって前方の車椅子の方向転換するため進行方向とは逆の方向に操作しなければならないため相当の熟練をつまなければならない。特願２００１−４１２７０は前方車椅子と後方車椅子の間は連結棒１本のみで連結されて看護者は車椅子の間で片手で前方車椅子のハンドルを握りもう一方の片手で後方車椅子の前連結棒の中間部分を握って運用しているが前方を確認しやすいが実施経験上ハンドルを握る両手に上から体重をかけるようにすると腰と足で押すと力が入りやすくより強い力が加わり楽に前進することができるが片手でハンドルを握るとより強い握力が必要で姿勢にも無理がかかる。本発明は、この課題を解消するためになされたものである。
【課題を解決するための手段】
【０００８】
前方の車椅子の左右のアームレストと後方の車椅子の左右のアームレストの各々に沿ってスライドする、中間部に設ける適宜形状の自在継手により接続する前後方の二本の連結棒の各々に、棒の軸方向とほぼ直角に突出させるピンを設け、該ピンが前記車椅子の各々の後部の垂設フレームに当接して車椅子に推進力を与え、前記連結棒に沿ってスライドする前記継手の筒丈保護カバーを設けるとともに、前記連結棒とアームレストに上方より被
せるボンネットで成る車椅子の縦列連結装置として課題を解決している。
【発明の効果】
【０００９】
本願発明によれば、次のような効果が期待される。                                
（１）連結装置は個々の車椅子に取付金具が不必要であり、車椅子の左右フレームにま  たがる梁のような取付具も不必要であるため、従来技術の連結装置よりも脱着の簡略化  と非常時に車椅子に個々の取付金具が不必要であるため緊急の作業の対応が容易である  。
（２）エレベーターへの出入りが容易である。
（３）連結する装置は車椅子のフレーム幅に影響されないので、各種の市販車椅子の寸  法にも柔軟に対応できる。
（４）後方車椅子での操作意志が確実に前方車椅子に伝達でき、一人の看護者が患者の  様子を観察しながら２台の車椅子を自在かつ容易に所望の方向へ移動操作することがで  きる。                                                                                                                                                          
（５）連結した２台の車椅子の操作は１台と同じ操作感覚で可能である。
【図面の簡単な説明】
【００１０】
【図１】本発明の１実施例を示す断面図である。
【図２】本発明の他の自在継手の断面図である。
【図３】本発明の更に自在継手の断面図である。
【図４】本発明の筒丈カバーの三角状の断面図である。
【図５】本発明の全体を包んだ筒丈保護カバーの断面図である。
【図６】本発明のピン状の断面図である。
【図７】本発明のボンネットの斜視図である。
【図８】本発明の１実施例を示す斜視図である。
【実施例１】
【００１１】
図１は、本発明の１実施例を示す連結棒全体の断面図１であり、前方の連結棒の        後端部に凹状の、後方の連結棒の前端部に設ける球状態の連結棒２,３とを挿入        してなる自在継手手段内包筒７の両側を抜けないように絞り込んだ筒である。
【実施例２】
【００１２】
図２は、本発明の他の１実施例を示す連結棒の一部をなす自在継手手段の断面図        であり、自在継手手段内包筒７は筒状の自在継手手段の空間部を形成し、この自        在継手手段内包筒７に球体の一部が自在継手手段内包筒７から露出する一端部を        持つ連結棒３と、他端部にT字型状の一端部を持つ連結棒4を収納して、自在継        手手段内包筒７の両方の先端開口面８を絞って球体の直径と連結棒4のT字型状        の面よりも小さい開口にして球体の連結棒３と連結棒4の離脱防止の為の手段と        して連結棒が上下左右に揺動するようにして、かつ筒丈保護カバー9が前後にス        ライドするようにしている。
【実施例３】
【００１３】
図３は、本発明の更に１実施例を示す連結棒の一部をなす自在継手手段の断面図        であり、自在継手手段内包筒７は筒状の自在継手手段の空間部を形成し、この自        在継手手段内包筒７に、球体の両方向から連結棒の一端部に球体面に沿う面をも        つ半球体で両側から挟んだ連結棒5一端部を収納して、自在継手手段内包筒７の        両方の先端開口面８を絞って連結棒5直径よりも小さい開口にして、半球体を一        端部に持つ連結棒5の離脱防止の為の手段として半球体の連結棒が上下左右に揺        動するようにして、かつ筒丈保護カバー９が前後にスライドするようにしている        。
【実施例４】
【００１４】
図４は、本発明の１実施例を示す筒丈保護カバー9の端部にある三角状の一端部        10の断面図である。
【実施例５】
【００１５】
図５は、本発明の１実施例を示す断面図であり、揺動自在な自在継手手段内包筒        ７が左右上下に振れないように全体を包んだ筒丈保護カバー9を全体に被せ把持        していて筒丈保護カバー9の一部を切欠したものでも構わない。
【実施例６】
【００１６】
図６は、本発明の１実施例を示す断面図であり、前のピン11-1が前方車の椅子の        後方に当設して、後方の連結棒に設けるピン11-2が後方の車椅子のアームレスト        前方垂直フレーム１４の前方に当接する。
【実施例７】
【００１７】
図７は、本発明の１実施例を示す斜視図であり、アームレスト１３の両側から挟        み嵌着したボンネット１２である。
【実施例８】
【００１８】
図８は、本発明の１実施例を示す全体の斜視図１７である。
【符号の説明】
【００１９】
1    連結棒全体断面図
２    凹状の端部を持つ連結棒  、
３    球体状の端部を持つ連結棒、
４    T字型状の端部を持つ連結棒
５    両側から球体を挟んだ半球体の連結棒
６    球体状
７    自在継手手段内包筒
８    自在継手手段内包筒開口面
９    自在継手手段内包筒を包んだ筒丈保護カバー
１０  自在継手手段内包筒を包んだ筒丈保護カバーの三角状の端部
１１-１    連結棒から突出したピン
１１-２  連結棒から突出したピン
１２  ボンネット
１３  アームレスト
１４  アームレスト前部垂直フレーム
１５           垂直フレーム
１６           ネジ
１７           全体の斜視図
【図１】
2014012084.tif 000003
【図２】
2014012084.tif 000004
【図３】
2014012084.tif 000005
【図４】
2014012084.tif 000006
【図５】
2014012084.tif 000007
【図６】
2014012084.tif 000008
【図７】
2014012084.tif 000009
【図８】
2014012084.tif 000010